(57)【要約】      （修正有）【課題】建物等の壁や柱等の多様な材質に対して容易に取り付けることができ、しかも幼児や身障者や高齢者のような居住者の身体がぶつかった場合でも、その衝撃を緩和することで痛さや怪我を防止することができるようにしたソフトコーナーガードを提供する。【解決手段】建物に設けられた角部に取付けることができるＬ型の内側面を有する硬質樹脂からなる内側部５と、この内側部の両端から外側に突出して内部に空洞を形成しながら内側部を包囲すると共にコーナー部を湾曲形状に形成した軟質樹脂からなる外側部２と、これらの内側部と外側部との間の空洞部３を仕切る軟質樹脂からなる支持部４とを一体的に形成したことを特徴とする。【選択図】図１
0003199592.tif 000002
【実用新案登録請求の範囲】
【請求項１】
建物に設けられた角部に取付けることができるＬ型の内側面を有する硬質樹脂からなる内側部と、この内側部の両端から外側に突出して内部に空洞を形成しながら内側部を包囲すると共にコーナー部を湾曲形状に形成した軟質樹脂からなる外側部と、これらの内側部と外側部との間の空洞部を仕切る軟質樹脂からなる支持部とを一体的に形成したことを特徴とするソフトコーナーガード。
【請求項２】
硬質樹脂からなる内側部の内側面に対して接着剤又は両面接着テープを介して建物に設けられた角部に接着するようにしたことを特徴とする請求項１記載のソフトコーナーガード。
【請求項３】
内側部と外側部と支持部との間に形成された空洞部の端部の形状に応じて差し込み可能な弾性の差込部を有する軟質樹脂からなる小口キャップを形成し、この小口キャップの差込部を空洞部の端部から差し込むことによって装着するようにしたことを特徴とする請求項１又は２記載のソフトコーナーガード。
【請求項４】
外側部と両端部を包囲することができる軟質樹脂からなるカバー材を形成し、外側部と両端部に対して後付けで接着するようにしたことを特徴とする請求項１、２又は３記載のソフトコーナーガード。
【考案の詳細な説明】
【技術分野】
【０００１】
本考案は、建物等の壁や柱の角部等に付設するソフトコーナーガードに関する。
【背景技術】
【０００２】
建物等の壁や柱等は、通常、硬質であって、使用者が壁や柱等の角部に当たると、身体を傷つけるおそれがある。従って、そのような身体にする衝撃を緩和する対策として、従来から、壁や柱等の角部にゴム製等によるクッション部材を付設することが行われている。
【０００３】
そのような従来のクッション部材として、実用新案登録文献１を参照する。この文献における柱等のコーナー保護材は、柱等のコーナーにゴム等の弾性体による肉薄部を形成し、他の部分はゴム製の本体とし、そのゴム製の本体にビスを取付けるための空洞部を形成したものである。
【０００４】
従って、このコーナー保護材は、柱等の角部に取付けるためのビスを空洞部の内部に収納することによって、ビスの頭部が外部に突出しないようにし、ビスの頭部で身体が傷つけられない構成としたものである。
【０００５】
ところで、上記のようなコーナー保護材を壁や柱等の角部に設けた場合、そのコーナー保護材は壁面や柱面から突出した部分を形成するため、このようなコーナー保護材を単に弾性部材で形成しただけでは、身体の保護に関して不十分な場合が生じる。特に、幼児や身障者や高齢者の住む住宅、幼稚園、或いは老人ホーム等の施設のように、居住者の身体を厚く保護すべき居住空間においては、コーナー保護材自体が柔軟性を持って変形することにより、身体の衝撃を緩和することで居住者の身体を保護する必要がある。また、高齢者の場合、壁や柱の角部に足の指を当てて骨折するという事態が生じるため、壁や柱の角部の床面に接する位置にコーナー保護材を設ける必要がある。
【０００６】
さらに、上記のようなコーナー保護材を既存の建物の壁や柱等の角部に設ける場合、壁や柱等のような被対象物がコンクリート等であると、ネジ止めが不可能であったり、不陸等の問題があるため、後付けでも容易に取り付けられる構造とする必要がある。
【先行技術文献】
【特許文献】
【０００７】
【特許文献１】特開平８−１８４１６８号公報
【考案の概要】
【考案が解決しようとする課題】
【０００８】
本考案は、上記の事情に鑑みてなされたものであり、建物等の壁や柱等の多様な材質に対して容易に取り付けることができ、しかも幼児や身障者や高齢者のような居住者の身体がぶつかった場合でも、その衝撃を緩和することで痛さや怪我を防止することができるようにしたソフトコーナーガードを提供することを目的とする。
【課題を解決するための手段】
【０００９】
上記の目的を達成するため、本考案の請求項１のソフトコーナーガードは、建物に設けられた角部に取付けることができるＬ型の内側面を有する硬質樹脂からなる内側部と、この内側部の両端から外側に突出して内部に空洞を形成しながら内側部を包囲すると共にコーナー部を湾曲形状に形成した軟質樹脂からなる外側部と、これらの内側部と外側部との間の空洞部を仕切る軟質樹脂からなる支持部とを一体的に形成したことを特徴とする。
【００１０】
また、本考案の請求項２のソフトコーナーガードは、請求項１において、硬質樹脂からなる内側部の内側面に対して接着剤又は両面接着テープを介して建物に設けられた角部に接着するようにしたことを特徴とする。
【００１１】
また、本考案の請求項３のソフトコーナーガードは、請求項１又は２において、内側部と外側部と支持部との間に形成された空洞部の端部の形状に応じて差し込み可能な弾性の差込部を有する軟質樹脂からなる小口キャップを形成し、この小口キャップの差込部を空洞部の端部から差し込むことによって装着するようにしたことを特徴とする。
【００１２】
さらに、本考案の請求項４のソフトコーナーガードは、請求項１、２又は３において、
外側部と両端部を包囲することができる軟質樹脂からなるカバー材を形成し、外側部と両端部に対して後付けで接着するようにしたことを特徴とする。
【考案の効果】
【００１３】
本考案のソフトコーナーガードは、硬質樹脂による内側部の内側面を新築又は既設の建物の壁や柱等の多様な材質に対して接着剤や両面接着テープ等で容易に取り付けることが可能である。
【００１４】
また、上記のように取り付けた本考案のソフトコーナーガードは、軟質樹脂による外側部のコーナー部が柔軟に変形するだけではなく、軟質樹脂からなる外側部全体と軟質樹脂からなる支持部も柔軟に変形可能であるため、外方からの衝突等の押圧力によって外側部が内側に変形すると共に支持部もまた変形し、押圧力が解除されると元の形状に復帰可能である。
【００１５】
このため、居住者等の身体がソフトコーナーガードの外側部のいずれの箇所に当たった場合でも、ソフトコーナーガードの外側部は柔軟に変形して身体の衝撃を吸収することができ、身体に対する痛みを緩和し、傷や怪我等を防止することが可能となる。
【００１６】
また、本考案のソフトコーナーガードは、壁や柱の角部に沿って任意の位置に取り付けることができるため、角部の床面に接する位置に取り付けることも可能であり、高齢者等が壁や柱の角部に足の指を当てて転倒したり、骨折や怪我等を防止することが可能となる。
【図面の簡単な説明】
【００１７】
【図１】（ａ）は本考案の実施例におけるソフトコーナーガードの端面図であり、（ｂ）は斜視図であり、（ｃ）は変形時の状態を示す図である。
【図２】本考案の実施例におけるソフトコーナーガードの端部に小口キャップを取り付ける前の状態を示す斜視図である。
【図３】（ａ）は本考案の実施例におけるソフトコーナーガードを建物に設けられた角部に取り付けた状態を示す斜視図であり、（ｂ）はソフトコーナーガードの端部に小口キャップを取り付けた状態を示す斜視図である。
【図４】（ａ）は本考案の実施例におけるソフトコーナーガードの外側にカバー材を取り付ける前の状態を示す斜視図であり、（ｂ）はカバー材の斜視図であり、（ｃ）はソフトコーナーガードの外側にカバー材を取り付けた状態を示す斜視図である。
【考案を実施するための形態】
【００１８】
以下、本考案の実施例について図面を参照しながら説明する。
【実施例】
【００１９】
本実施例のソフトコーナーガード１は、図１（ａ）〜（ｃ）に示すように、建物に設けられた角部Ｋに取付けるＬ型の内側面５ａ、５aを有する硬質樹脂からなる内側部５と、この内側部５の両端から外側に突出して内部に空洞部３を形成しながら内側部５を包囲すると共にコーナー部２ｃを湾曲形状に形成した軟質樹脂からなる外側部２と、これらの内側部５と外側部２との間の空洞部３を仕切る軟質樹脂からなる支持部４とを一体的に形成したものである。
【００２０】
このような構成のソフトコーナーガード１について詳細に述べると、本実施例のソフトコーナーガード１は、建物に設けられた壁、柱等の垂直状の角部、更には棚等の水平状の角部等、その建物の内部又は外部で身体が衝突することによって打ち身や傷つけられるおそれのある角部に取り付けることによって身体を保護するものである。また、新築の当初から建物に設けられた角部に取付けたり、既設の建物に設けられた角部に取付けることも可能である。
【００２１】
このような本実施例のソフトコーナーガード１の構成は、図１（ａ）又は（ｂ）に示すように、Ｌ型の内側面５ａ、５aを有する硬質樹脂からなる内側部５の両端から外側に突出して内部に空洞３を形成しながら内側部５を包囲する軟質樹脂からなる外側部２が形成されている。この外側部２はコーナー部２ｃが湾曲形状に形成され、これらの内側部５と外側部２との間の空洞部３を仕切る軟質樹脂からなる支持部４とを２色成形で一体的に形成したものである。
【００２２】
従って、本実施例のソフトコーナーガード１は、例えば、内側部５に硬質ＡＢＳを使用し、外側部２と支持部４に軟質ポリプロピレン（軟質ＰＰ）を使用し、これらの材料を使用して２色成形の押し出し成形によって加工することにより長尺のソフトコーナーガード１を形成し、必要な長さに切断することも可能である。なお、ソフトコーナーガード１を２色成形する際、外側部２の外側面２aに木目等の模様を形成したり、種々の着色を施すことも可能である。
【００２３】
このような構成により、図１（ａ）（ｂ）に示すように、ソフトコーナーガード１の硬質樹脂からなる内側部５の内側面５aに両面接着テープ６を張り付け、この両面接着テープ６を介して、壁や柱等の角部Ｋに張り付けるようにしてもよいし、両面接着テープ６を使用せずに直接、接着剤を使用して取付けるようにしてもよい。いずれにしても、ソフトコーナーガード１の内側部５に硬質ＡＢＳを使用することによって、内側部５は自立性に優れ、その内側面５ａは接着性及び接着作業性に優れたものとなる。
【００２４】
上記により、図１（ｃ）に示すように、建物に設けられた角部Ｋに取り付けたソフトコーナーガード１の構成は、建物に設けられた角部Ｋに硬質樹脂からなる内側面５ａ、５aが両面接着テープ６又は接着剤を介して張り付けられる。この際、硬質樹脂からなる内側部５は、硬質ではあるが弾性変形するものであり、建物に設けられた角部Ｋの壁面等に不陸があった場合でも柔軟に対応することが可能である。
【００２５】
なお、硬質樹脂からなる内側部５の内側面５a、５aは通常の状態で直角に形成されているが、両側の内側面５a、５aのなす角度を変形することが可能であるため、建物の角部Ｋが直角ではなく、それより大きな角度や小さな角度の場合でも、両側の内側面５a、５aの角度を変形させることによって取り付けることが可能である。
【００２６】
また、ソフトコーナーガード１の軟質樹脂からなる外側部２は角部Ｋの両面から突出した状態でコーナー部２ｃを湾曲状に形成すると共に、コーナー部２ｃを挟んだ両側に軟質樹脂からなる支持部４を有し、内側部５と外側部２と支持部４とに囲まれた夫々の内部に空洞３が形成された構成となる。
【００２７】
従って、図１（ｃ）の矢印で示すように、ソフトコーナーガード１の外方から身体等が当たって外側部２を押圧すると、外側部２が内部の空洞３側に湾曲状に変形すると共に、支持部４もまた変形するため、身体等に対する衝撃をソフトに緩和することが可能となる。
【００２８】
また、身体等からの押圧力が解除されると、外側部２及び支持部４の復元力によって、外側部２及び支持部４は元の形状に復帰することとなる。なお、図１（ａ）（ｂ）に示す外側部２の両端の角部２ｂ、２ｂは、図示では多少のアールを形成してあるが、さらに大きなアールの湾曲形状とすることによって、この両端の角部２ｂ、２ｂに対する衝撃をより緩和することが可能となる。
【００２９】
図２は、ソフトコーナーガード１の端部に小口キャップ７を取付ける状態を示す斜視図である。即ち、この小口キャップ７は軟質樹脂から形成され、ソフトコーナーガード１の端部の形状に応じたＬ型の形状を有し、その両側の下部にソフトコーナーガード１の内側部５と外側部２と支持部４との間に形成された空洞部３の端部に応じて差し込み可能な弾性の蛇腹状の差込部７ａが形成されている。
【００３０】
このような構成により、小口キャップ７の差込部７ａを空洞部３の端部に差し込むことによってソフトコーナーガード１の端部に簡単に取り付けることが可能である。また、小口キャップ７の取付け作業時に、差込部７ａに接着剤を塗布することによって、小口キャップ７をソフトコーナーガード１の端部の空洞部３に固定することが可能となる。このような構成により、軟質樹脂からなる小口キャップ７に身体が当たった場合でも、ソフトコーナーガード１と同様に、その衝撃を緩和することが可能である。
【００３１】
図３（ａ）は、本実施例のソフトコーナーガード１を壁又は柱等の角部Ｋに取り付けた状態を示すものであり、図３（ｂ）はソフトコーナーガード１の端部に小口キャップ７を取り付けた状態を示す。このソフトコーナーガード１の取付け高さは、身体を守るべき高さ等、必要に応じて自由に設定することが可能である。なお、図３（ａ）及び（ｂ）は、高齢者等の足部や足の指が当たりやすい壁や柱の角部の床面に接する位置から上方に取り付けたものであり、特に高齢者の足の指の骨折を防止することが可能となる。
【００３２】
さらに、図４（ｂ）は軟質樹脂からなるカバー材８であり、図４（ａ）に示すソフトコーナーガード１の両端部を含む外側部２の外形を包囲する外側面８ａ、両側の端部８ｂ、コーナー部８ｃを有することにより、ソフトコーナーガード１の外側部２の全体を包囲することが可能とされている。このカバー材８は、ソフトコーナーガード１が経年変化によって老朽化したり、変形したり、損傷した場合、ソフトコーナーガード１の外側にカバー材８を接着剤を介して取り付けることが可能である。
【００３３】
このようなカバー材８を図４（ｃ）に示すようにソフトコーナーガード１の両端部を含む外側部２の周囲に取付けることによって、ソフトコーナーガード１の外観を復活させることが可能であり、ソフトコーナーガード１と同様にカバー材８もまた軟質性を有するため、身体の衝突等に対する衝撃を柔軟に緩和することが可能となる。
【００３４】
ｓ
なお、このカバー材８の外側面８ａに木目の模様を形成したり、幼児用のキャラクター等のデザインや種々の着色によるデザインを施すことによって、用途に応じたデザイン性を有するソフトコーナーガード１としての使用が可能となる。
【産業上の利用可能性】
【００３５】
本考案のソフトコーナーガードは、建物等の壁や柱等の多様な材質に対して容易に取り付けることができ、しかも幼児や身障者や高齢者のような居住者の身体がぶつかった場合でも、その衝撃を緩和することで痛さや怪我を防止することができるようにしたソフトコーナーガードとして利用可能である。
【符号の説明】
【００３６】
１  ソフトコーナーガード
２  外側部
２ａ  外側面
２ｂ  角部
２ｃ  コーナー部
３  空洞部
４  支持部
５  内側部
５ａ  内側面
６  両面接着テープ
７  小口キャップ
７ａ  差込部
８  カバー材
８ａ  外側面
８ｂ  端部
８ｃ  コーナー部
Ｋ  壁や柱等の角部
【図１】
0003199592.tif 000003
【図２】
0003199592.tif 000004
【図３】
0003199592.tif 000005
【図４】
0003199592.tif 000006